(57)【要約】【課題】クッション性を使用者の好みに応じて調節できるようにする。【解決手段】枕本体２の内部適所に空洞部３を設け、枕本体２外面に、枕本体２外面から前記空洞部３に達する切込部４を設け、この切込部４から前記空洞部３に装入すると共に嵌合保持して、枕本体２のクッション性を調節可能な断面略長円の調節素材５を複数備える。これら調節素材５は、互いに反発性の相違する素材５ａ，５ｂを一対組み合わせて一体構成する。前記切込部４は、枕本体２底面から枕本体２厚さ方向に立ち上がる縦切込部４ｖと、枕本体２内部で空洞部３に向かって横方向に形成した横切込部４ｈとで構成する。【選択図】　　　　　　　図２
2004129886.tif 000002
【特許請求の範囲】
【請求項１】
クッション性素材の枕本体で構成し、この枕本体の内部適所に空洞部を設け、前記枕本体外面に、枕本体外面から前記空洞部に達する切込部を設け、この切込部から前記空洞部に装入すると共に嵌合保持して、枕本体のクッション性を調節可能な調節素材を複数備え、これら調節素材は、複数の異なる反発性の素材から、互いに反発性の相違する素材を一対組み合わせて一体構成したことを特徴とする枕装置。
【請求項２】
前記切込部は、前記枕本体底面に、前記空洞部に対応する、枕本体厚さ方向の枕本体底面の位置からずれた箇所に形成すると共に前記空洞部に向かって鉤型状に形成してなることを特徴とする請求項１記載の枕装置。
【請求項３】
前記枕本体外面の切込部に開閉可能に切込部を閉止するファスナを設けたことを特徴とする請求項１または２記載の枕装置。
【請求項４】
前記空洞部は、断面長円状の形状としたことを特徴とする請求項１または２記載の枕装置。
【請求項５】
前記空洞部は、後頭部の上部側まで延在する形状としたことを特徴とする請求項１、２または４記載の枕装置。
【発明の詳細な説明】
【０００１】
【発明が属する技術分野】
本発明は、クッション性を使用者の好みに応じて調節できるようにした、枕装置に関するものである。
【０００２】
【従来の技術】
人間が就寝時、健常者でも病弱者でも、枕は大変重要であり、枕自体の固さは勿論、形状、支えたときの高さ寸法が使用者によって、千差万別であるのは周知のとおりである。
枕自体の高さが高すぎると、頚椎が極端に内側に曲がって、気道が圧迫され、息苦しくなったり、肩が凝ったりする。
一方、枕の高さが低すぎたり、柔らかすぎると、頭が沈み込んでしまい、大変寝心地が悪くなって、快適性が損なわれるおそれがある。また、高血圧症の患者には、不向きである。
【０００３】
そこで、最近、柔軟度を変更できるようにした枕が提案されている（実用新案登録第３０７７７６０号参照）。この枕では、ポリウレタン発泡体からなる枕本体と強化部材と枕カバーとからなり、枕本体中段部の底部に、スリットを有する横溝を形成して、この横溝に枕本体より硬い材質の強化部材を着脱して枕の柔軟度を変更するようにしている。
【０００４】
【発明が解決しようとする課題】
しかしながら、上記枕では、強化部材は円柱であり、枕本体の内部の一部を占めるに過ぎず、柔軟度の変更の効果が及ぶのは、強化部材を装着する横溝周囲近傍にとどまり、枕本体全体に、前記強化部材の材質の影響が反映されるものではないと考えられる。すなわち頭、後頭部を支える箇所の大部分には、強化部材による調整効果は及ばないものと思われる。
また、横溝におけるスリットは、横溝直下の枕本体底部にあるので、使用に際して上からの荷重によって、スリットが広がり、横溝が変形して強化部材が抜け落ちるおそれがある。
本発明はかかる背景から提案されたものであって、クッション性を使用者の好みに応じて調節できるようにした、枕装置を提供することを目的とする。
【０００５】
【課題を解決するための手段】
上述した課題を解決するために、本発明では、請求項１において、クッション性素材の枕本体で構成し、この枕本体の内部適所に空洞部を設け、前記枕本体外面に、枕本体外面から前記空洞部に達する切込部を設け、この切込部から前記空洞部に装入すると共に嵌合保持して、枕本体のクッション性を調節可能な調節素材を複数備え、これら調節素材は、複数の異なる反発性の素材から、互いに反発性の相違する素材を一対組み合わせて一体構成した枕装置を提案する。
また本発明では、請求項２において、前記切込部は、前記枕本体底面に、前記空洞部に対応する、枕本体厚さ方向の枕本体底面の位置からずれた箇所に形成すると共に前記空洞部に向かって鉤型状に形成してなる枕装置を提案する。
また本発明では、請求項３において、前記枕本体外面の切込部に開閉可能に切込部を閉止するファスナを設けた枕装置を提案する。
また本発明では、請求項４において、前記空洞部は、断面長円状の形状とした枕装置を提案する。
さらに本発明では、請求項５において、前記空洞部は、後頭部の上部側まで延在する形状とした枕装置を提案する。
【０００６】
請求項１によれば、枕本体の空洞部に、異なる反発性の素材を接合構成した調節素材を、枕本体外面の切込み部から装入すると共に、好みに応じていずれかの素材側が上に向くように嵌合保持する。これにより、枕本体の空洞部を形成した外面は、空洞部に保持した調節素材の反発特性が反映され、全体のクッション性を使用者の好みに対応させることができる。
【０００７】
請求項２によれば、枕本体の内部適所における空洞部に調節素材をいれる際、切込部を、枕本体のクッション性に抗して大きく開口させて、空洞部内に調節素材を装入しやすくすることができる。なお、前記切込部は、空洞部に対応する、枕本体厚さ方向の枕本体底面の位置からずれた箇所に形成すると共に前記空洞部に向かって鉤型状に形成しているので、枕本体に頭を乗せた状態では、すなわち上からの荷重によっては、変形して開口することはなく、前記調節素材が脱落することはない。
【０００８】
請求項３によれば、枕本体外面の切込部をファスナによって閉止するようにしたので、枕本体が使用によって変形しても、空洞部内に保持した調節素材が脱落するようなことはない。
【０００９】
請求項４によれば、調節素材は、断面長円状の前記空洞部内で回動してずれるようなことはなく、保持しやすい。
【００１０】
請求項５によれば、空洞部を後頭部上部側に対応する箇所まで延在させれば、クッション性を一層、所望のものに調節することができる。
【００１１】
【発明の実施の態様】
次に、本発明にかかる枕装置について、一つの実施の態様を示し、添付の図面に基づいて以下説明する。
図１に示す枕装置１は、詰物としてクッション性素材の枕本体２で構成し、この枕本体２の内部適所に空洞部３を設け、前記枕本体２外面に、枕本体２外面から前記空洞部３に達する切込部４を設け、この切込部４から前記空洞部３に装入すると共に嵌合保持して、枕本体２のクッション性を調節可能な調節素材５を複数備えている。
これら調節素材５は、図２に示すように複数の異なる反発性の素材から、互いに反発性の相違する素材５ａ，５ｂを一対組み合わせて一体構成している。
なお、前記枕本体２は、図示は省略するが、取り外し可能なカバー部材で覆っている。
【００１２】
前記枕本体２は、周知のクッション性素材を使用し、外形が、図中、左右方向右側寄りの箇所を肉厚として、かかる右側寄りの箇所の内部には、前記空洞部３を形成している。なお、この右側寄りの箇所は、使用者の後頭部から首にかけての箇所を支えるようにしている。
【００１３】
前記空洞部３は、枕本体２内部を断面長円の筒状にくり抜いて構成したもので、枕本体２幅方向（図中、左右方向と直交する方向）の一端側を開口して形成している。勿論、空洞部３は枕本体２幅方向両端側を開口してもよい。
なお、前記空洞部３は円筒状にくり抜いて構成することもできる。
また前記空洞部３は、使用者の後頭部上部側に対応する箇所まで延在する形状とすることもできる（図中、一点鎖線）。
【００１４】
さらに前記切込部４は、前記枕本体２底面に、前記空洞部３に対応する、枕本体２厚さ方向の枕本体２底面の位置からずれた箇所に形成すると共に前記空洞部３に向かって鉤型状に形成している。すなわち、前記切込部４は、枕本体２底面から枕本体２厚さ方向に立ち上がる縦切込部４ｖと、枕本体２内部で空洞部３に向かって横方向に形成した横切込部４ｈとで構成している。
【００１５】
そして前記調節素材５は、前記空洞部３に嵌合可能な断面略長円の筒状部材とし、調節素材５を構成する、それぞれの素材５ａ，５ｂは、半筒状の形状で、平らな面同士を適宜な手段により一体的に接合している。この場合、調節素材５は、前記異なる反発性の素材５ａ，５ｂとして、周知の複数の反発性の素材から、異なる組み合わせで一体接合したものを複数備えている。
【００１６】
なお、前記枕本体２外面の切込部４には、開閉可能に切込部４を閉止するファスナ６を設けることもできる。
【００１７】
以上のように構成される枕装置１において、枕本体２の内部適所における空洞部３に、枕本体２外面の切込部４から、種々の反発性の素材５ａ，５ｂの組み合わせの調節素材５から適宜選び出した調節素材５を押し込んで嵌合保持して、全体のクッション性を使用者の好みに対応させることができる。すなわち、異なる反発性の素材５ａ，５ｂを接合構成した調節素材５を、好みに応じていずれかの素材側が上に向くように嵌合保持する。空洞部３は、断面長円の筒状にくり抜いて構成しているので、調節素材５は空洞部３内でずれることなく保持することができる。
これにより、枕本体２の空洞部３を形成した上面は、空洞部２に保持した調節素材５のうち、上に向けた素材の反発特性が反映され、全体のクッション性を使用者の好みに対応させることができる。
【００１８】
枕本体２の内部適所における空洞部３に調節素材５をいれる際、先ず、枕本体２底面の縦切込部４ｖを、矢印方向に、枕本体２のクッション性に抗して大きく開口させることで、空洞部３内に調節素材５を装入しやすくすることができる（図２参照）。
そして、もしクッション性が合わないときは、一旦、空洞部３内から前記調節素材５を、切込部４から抜き出して、もう片方の素材が上に向くように押し込んで嵌合保持する。
さらに、クッション性が合わない場合は、別の組み合わせの調節素材５を選択し、異なる反発性の素材５ａ，５ｂのうち、いずれかの素材が上に向くように押し込んで嵌合保持する。
【００１９】
かかる枕本体２に、使用者は、厚さ寸法の大きい、すなわち空洞部３を形成した外面に、使用者の後頭部から首にかけての箇所を乗せて使用することができる。この時、枕本体２は、頭からの荷重によって、空洞部３は、図中、二点鎖線で示すように変形する（図１参照）。
しかしながら、切込部４は、枕本体２内部で空洞部３に向かって横方向に形成した横切込部４ｈは、横にずれるだけで、また枕本体２底面から枕本体２厚さ方向に立ち上がる縦切込部４ｖも、枕本体２厚さ方向の枕本体２底面の位置からずれた箇所に形成してあるので、縦方向に変形するだけで、前記切込部４が開口して、前記調節素材５が脱落するようなことはない。
【００２０】
なお、前記枕本体２外面の切込部４を、ファスナ６によって開閉可能に閉止するようにしたものにあっては、さらに確実に、空洞部３内に保持した調節素材５を脱落しないように保持することができる。
【００２１】
【発明の効果】
以上の通り、本発明によれば、
１．枕本体の空洞部に、異なる反発性の素材を接合構成した調節素材を、枕本体外面の切込み部から装入すると共に、好みに応じていずれかの素材側が上に向くように嵌合保持する。これにより、枕本体の空洞部を形成した外面は、空洞部に保持した調節素材の反発特性が反映され、全体のクッション性を使用者の好みに対応させることができる。
２．枕本体の内部適所における空洞部に調節素材をいれる際、切込部を、枕本体のクッション性に抗して大きく開口させて、空洞部内に調節素材を装入しやすくすることができる。なお、前記切込部は、空洞部に対応する、枕本体厚さ方向の枕本体底面の位置からずれた箇所に形成すると共に前記空洞部に向かって鉤型状に形成しているので、枕本体に頭を乗せた状態では、すなわち上からの荷重によっては、変形して開口することはなく、前記調節素材が脱落することはない。
３．枕本体外面の切込部をファスナによって閉止するようにしたので、枕本体が使用によって変形しても、空洞部内に保持した調節素材が脱落するようなことはない。
４．調節素材は断面を長円形状としたことで、空洞部内で回動してずれるようなことはなく、保持しやすい。
５．空洞部を後頭部上部側に対応する箇所まで延在させれば、クッション性を一層、所望のものに調節することができる。
【００２２】
【図面の簡単な説明】
【図１】本発明にかかる枕装置の一つの実施の形態を示す断面説明図である。
【図２】図１に示す枕装置の全体構成を示す、斜視説明図である。
【符号の説明】
１　　　　　　　　　　　　　　枕装置
２　　　　　　　　　　　　　　枕本体
３　　　　　　　　　　　　　　空洞部
４　　　　　　　　　　　　　　切込部
４ｖ　　　　　　　　　　　　　縦切込部
４ｈ　　　　　　　　　　　　　横切込部
５　　　　　　　　　　　　　　調節素材
５ａ，５ｂ　　　　　　　　　　素材
６　　　　　　　　　　　　　　ファスナ
【図１】
2004129886.tif 000003
【図２】
2004129886.tif 000004